(57)【要約】【課題】任意の電子データを収録した電子記憶媒体と、電子記憶媒体に該当する内容を印刷によるアナログ表示した紙片とを表紙内に収納できるようにし、１冊の冊子内に収めることにより、電子記憶媒体再生装置を使用することなく内容の理解を助けることができる書籍を提供する。【解決手段】表紙に、折りたたみにより表紙内に収まる紙片を有するとともに、任意の電子データを収録した電子記憶媒体を収納する電子記憶媒体収納部と、電子記憶媒体とにより構成される【選択図】　　図１
2004142401.tif 000002
【特許請求の範囲】
【請求項１】
表紙と、該表紙の一内側面に固定され縦横方向への折りたたみ構造を有し折りたたんだ状態で表紙内におさまる紙片と、前記表紙に設けられた電子記憶媒体収納部と、該電子記憶媒体収納部に収納される電子データを収録した任意の厚みを有する板状の電子記憶媒体とよりなる書籍。
【請求項２】
折りたたんだ状態の紙片の表面紙片に、表面紙片より露出するとともに表紙内に収まる形状の操作片を設けたことを特徴とする請求項１記載の書籍。
【請求項３】
紙片あるいは表紙あるいは操作片表面の少なくとも一つが電子記憶媒体収納部に収納された電子データに関連する印刷内容を表記したものであることを特徴とする請求項１又は２記載の書籍。
【請求項４】
表紙に表紙開放防止ストッパー構造を設けたことを特徴とする請求項１、２又は３記載の書籍。
【請求項５】
表紙開放防止ストッパー構造は収納された電子記憶媒体の抜け防止機能を有するものであることを特徴とする請求項４記載の書籍。
【請求項６】
表紙を閉じこんだ状況で収納する収納袋を具備したことを特徴とする請求項１、２、３、４又は５記載の書籍。
【発明の詳細な説明】
【０００１】
【発明の属する技術分野】
本発明は、任意の電子データを収録した電子記憶媒体と、縦横の折りたたみにより表紙内に収まる紙片により、多くのアナログデータと電子データを同時に楽しむことができる書籍に関するものである。
【０００２】
【従来の技術】
従来、書籍に円盤状の電子記憶媒体を付属させたものは、各種存在する。これらは通常の複数頁よりなる冊子形式の書籍に取り付けるＣＤ−ＲＯＭの収納技術に関するものである。
【参考公報】
特開２００１−０１０２５２
【参考公報】
特開平０８−１４２５３９
【０００３】
【発明が解決する課題】
これら従来技術は、表紙内に収まる頁片を冊子状に利用したものであり、一頁に記載される内容には情報の量的限界があった。この情報とは、文字数などのテキスト情報およびイメージ情報が含まれる。
テキスト情報においては、頁に記載される文字数の制限があり、イメージ情報においては、頁内に収めるため縮尺が必要となる。イメージ情報においては、その縮尺によっては視認が困難になることがあった。
これらＣＤ−ＲＯＭ付書籍においては、情報が分断されて頁に表示されているため、頁をめくる作業が必要となり、一度に複数頁に及ぶ情報を見ることが不可能であった。
【０００４】
【課題を解決するための手段】
表紙と、該表紙の一内側面に固定され縦横方向への折りたたみ構造を有し折りたたんだ状態で表紙内におさまる紙片と、前記表紙に設けられた電子記憶媒体収納部と、該電子記憶媒体収納部に収納される電子データを収録した任意の厚みを有する板状の電子記憶媒体とよりなる構成される。
【０００５】
【発明の実施の形態】
以下、本発明の第一の実施形態について図１から図４を利用して説明する。
図１は本発明の使用状態図である。図２は本発明の右側面図である。図３は本発明の平面図である。図４は本発明のその他の使用状態図である。
本発明は、図１に示すように表表紙裏に一部を接着することにより紙片（２）が設けられている。この表紙（１）は、折り目により表表紙、裏表紙、背表紙が構成されるとともに、その厚さは厚紙等である程度の外見形状を保護するとともに、内部収納物の変形を保護するものである。
紙片（２）は、図１に示すように縦横方向に設けられた山折よりなる折部（６ａ）と谷折よりなる折部（６ｂ）の構成により、折りたたむことで表紙の大きさ内におさまる状態となっている。この左上端紙片が表紙（１）に接着されている。図においては横方向に９個の折部（６）、縦方向に４個の折部（６）が設けられたものとなっているが、折部の個数はこれに限定されるものではない。
また、右下端紙片の裏面には操作片（３）が接着により固定されている。操作片（３）は操作に適した厚さを有するものであり、印刷加工できるものである。また、好ましくは折りたたんで収納した状態で表紙からはみ出さないものであるとともに、折りたたんだ状態の紙片からはみ出した状態で接着されたものであり、そのはみ出し部が操作時のつまみとして利用できるようになっている。但し、この操作片（３）は必ずしも必要ではなく、操作片（３）がなくても利用可能である。
図１に示す折り方は、三浦折りとして既に認知されたものを挙げているが、折り方に関してはこれに限定されることなく、縦横方向に折り曲げられかつで表紙の大きさ内におさまるものであれば良い。
また、裏表紙の裏面には電子記憶媒体（５）を収納する収納部（４）が設けられている。図においては、左右側辺及び下辺で接着され、上方より電子記憶媒体（５）が出し入れできるようになっている。この収納部（４）においては、この形態に限定されるものではなく、電子記憶媒体（５）が出し入れできるものであればよい。
図面において電子記憶媒体（５）は、本発明の表紙内に収まる大きさの四角形のＣＤ−ＲＯＭを事例としてあげて説明する。但し、本発明で示すところの電子記憶媒体は、これに限定されるものではなく、表紙内に収まる形状であるとともに収納部に収納可能な形状であり、磁気記憶、光記憶など記憶方法を問うものではなく、電子情報を記憶できるもの全てを含むものとする。
図において、表表紙にはベルト（７）の一端が固定されている。そして、ベルト（７）の開放端側の内側には面ファスナー（９ａ）が設けられている。裏表紙には、前記ベルト（７）を閉じたときに面ファスナー（９ａ）と接触する位置に面ファスナー（９ｂ）が設けられている。事例においては、面ファスナーが着脱固定手段としてあげているが、ボタンやホック、フックなど着脱可能なものであればよい。
本発明は以上の構成よりなる。
以下、音楽を電子記憶媒体（５）に収録して販売する事例をもとに本発明の利用、使用例を説明する。
電子記憶媒体（５）は音楽を収録したものであり、その歌詞及び歌手の経歴、歌手の肖像などが紙片（２）に印刷されている。この印刷位置に関しては特に限定されないが、折部にて囲まれた範囲内に分けて印刷を配置することにより紙片（２）全体を広げることなく必要な内容を見ることができる。
表紙は、この音楽販売用のデザインや写真とともにタイトル、歌手名などが印刷されている。背表紙には、縦方向に音楽タイトルと歌手の名が印刷される。これにより、店頭に陳列した際に、その内容が簡単に理解できるとともに、省スペースにての陳列が可能である。また、電子記憶媒体（５）を保護する厚みを有しているので、運搬、陳列しても電子記憶媒体（５）を変形、破損、裂傷させることなく取り扱うことができる。
操作片（３）は、その露出面に任意の印刷が施されている。この印刷に関しては、収録された音楽に関連したものに限定はされないが、歌手の肖像等を印刷することで、より商品価値を高めることが可能となる。使用に際しては、操作片（３）のはみ出し部を指でつまむことにより、簡単に操作ができる。図に示す折り方の場合は、横方向に引っ張ることで、紙片（２）が広がり、簡単に紙片（２）を開くことができ、大きな紙片（２）の内容を簡単にみることができるようになっている。
電子記憶媒体（５）は収納部（４）に収納されているが、音楽を聞きたいときには収納部（４）から取り出し再生装置にて音楽を聴くことができる。この際、必要な歌詞や歌手の肖像、解説などは表紙（１）を開き操作片（３）により紙片（２）を開き、その内容をみて楽しむことができる。
また、運搬時、販売時、不使用時には、ベルト（７）を面ファスナー（９ａ、９ｂ）で固定させることにより閉じる。これにより、折りたたんだ紙片の折部の反発による広がりを抑えることができる。ベルト（７）は表紙の開放防止となるものであるが、必要に応じては必ずしも必要とされるものではない。
以上、音楽を収録した記憶媒体としての説明をしたが、利用目的はこれに限定されるものではない。記憶情報としては、写真集、物語、小説、英会話などの教育内容をはじめとし各種内容に摘要できる。この際、表紙、紙片、操作片には、その電子記憶媒体の再生に関し、その内容の理解を助けたり効果をあげる内容の印刷があげられる。また、内容の一部を表記したものを印刷することで、電子情報を再生することなく楽しむことができる。これにより、再生装置のない場所であっても、販売物を楽しむことができる。
【０００６】
以下、本発明の他の実施の形態について図５から図７の図面を利用して説明する。
図５はハート型形状をした電子記憶媒体（５ｂ）を利用したものである。電子記憶媒体としては、収録に必要な記憶可能部さえあれば、媒体自体は各種形状が可能である。本事例もその一つであるともに、その他各種形状が利用可能である。
さらに、本事例においては収納部（４）の出し入れは右方向にあり、これによりベルト（７）を閉じることにより、電子記憶媒体（５ｂ）が収納部（４）から外れそうになっても、ベルト（７）がその脱落防止の機能を果たす為、運搬、不使用時の電子記憶媒体の脱落を防ぐことが可能となる。
図６はスティック上の電子記憶媒体（５ｃ）を用いた例である。この際、電子記憶媒体（５ｃ）の幅が背表紙の幅内に収まるものであり、これにより収納部（４）を背表紙に設けることで、電子記憶媒体（５ｃ）を表紙内に収納することができる。
図７は、包装袋（８）を利用したものである。これは販売時に効果を発揮するものである。包装袋（８）は、表紙（１）を閉じかつ紙片（２）を折りたたんだ状態で収納できるものである。更に、包装袋（８）には折り返し片（１１）が設けられている。折り返し片（１１）には接着層（１０）が設けられており、この接着層（１０）により包装可能となっている。この包装袋（８）は透明な素材よりなることで、表紙（１）の印刷を可視できるため、本発明の書籍を汚すことなく運搬、陳列可能となっている。この際、包装袋（８）が表紙（１）が開くことを防ぐという役割もなすため、ベルト（７）を利用しないで商品化することが可能となる。
以上、本発明の実施の形態を説明したが、本発明はこれに限定されるものではない。
【０００７】
【発明の効果】
表紙と、該表紙の一内側面に固定され縦横方向への折りたたみ構造を有し折りたたんだ状態で表紙内におさまる紙片と、前記表紙に設けられた電子記憶媒体収納部と、該電子記憶媒体収納部に収納される電子データを収録した任意の厚みを有する板状の電子記憶媒体とより構成されるため、非常に少ない必要面積での電子記憶媒体と印刷物の運搬、販売が可能となった。
折りたたんだ状態の紙片の表面紙片に、表面紙片より露出するとともに表紙内に収まる形状の操作片を設けたことで、紙片の操作が簡単にできるとともに、紙片の折りたたみ時の開放端を保護することが可能となった。
紙片あるいは表紙あるいは操作片表面の少なくとも一つが電子記憶媒体収納部に収納された電子データに関連する印刷内容を表記にすることにより、電子記憶媒体を再生させることなくその内容の理解を助けるとともに、電子記憶媒体の内容と関連づけることでよりその興味、面白さを演出することができる。
表紙に、表紙開放防止ストッパー構造を設けたことにより、折りたたんだ紙片の反発により表紙が開くことを防ぐことが可能となった。
表紙開放防止ストッパー構造を収納された電子記憶媒体の抜け防止機能を有するものにすることにより、運搬時、販売時、移動時における電子記憶媒体の脱落を防ぐことが可能となった。
表紙を閉じこんだ状況で収納する収納袋を具備することにより、電子記憶媒体、表紙、紙片、操作片を汚れから防ぐとともに、劣化を防ぐことが可能となる。
【図面の簡単な説明】
【図１】本発明の使用状態図である。
【図２】本発明の右側面図である。
【図３】本発明の平面図である。
【図４】本発明の使用状態図である。
【図５】本発明の第二の実施形態を示す図である。
【図６】本発明のその他の実施形態を示す図である。
【図７】本発明のその他の実施形態を示す図である。
【符号の説明】
１　表紙
２　紙片
３　操作片
４　収納部
５；５ａ；５ｂ；５ｃ　電子記憶媒体
６；６ａ；６ｂ　折部
７　ベルト
８　包装袋
９；９ａ；９ｂ　面ファスナー
１０　接着層
１１　折り返し片
【図１】
2004142401.tif 000003
【図２】
2004142401.tif 000004
【図３】
2004142401.tif 000005
【図４】
2004142401.tif 000006
【図５】
2004142401.tif 000007
【図６】
2004142401.tif 000008
【図７】
2004142401.tif 000009